(57)【要約】【課題】マイクロホンケースにスイッチ操作用の開口部が穿設されているコンデンサマイクロホンにおいて、その開口部のシールドを確実にして外来電磁波に起因する雑音発生を防止する。【解決手段】一端側にマイクロホンユニットが装着され、他端側に出力コネクタを備えている金属材からなる円筒状のマイクロホンケース１０を含み、マイクロホンケース１０内にマイクロホンユニットの所定の特性を切り替える特性切替スイッチ１３，１４が搭載されている回路基板１１が収納されており、これらスイッチ１３，１４に対応してマイクロホンケース１０にスイッチ操作用の開口部１５，１６が穿設されているコンデンサマイクロホンにおいて、各スイッチノブ１３ａ，１４ａにマイクロホンケース１０の内側から開口部１５，１６を塞ぐ好ましくは導電布１７からなる電気的なシールド手段を設ける。【選択図】図１
2008103818.tif 000002
【特許請求の範囲】
【請求項１】
一端側にマイクロホンユニットが装着され、他端側に出力コネクタを備えている金属材からなる円筒状のマイクロホンケースを含み、上記マイクロホンケース内に上記マイクロホンユニットと上記出力コネクタとに電気的に接続されるとともに、上記マイクロホンユニットの所定の特性を切り替える特性切替スイッチが搭載されている回路基板が収納されており、上記マイクロホンケースの上記特性切替スイッチと対向する部位にスイッチ操作用の開口部が穿設されており、上記開口部を通して上記特性切替スイッチのスイッチノブが操作されるコンデンサマイクロホンにおいて、
上記スイッチノブに上記マイクロホンケースの内側から上記開口部を塞ぐ電気的なシールド手段が設けられていることを特徴とするコンデンサマイクロホン。
【請求項２】
上記シールド手段として弾性と導電性とを併せ持つ導電布が用いられ、上記導電布の端部が上記マイクロホンケースの内面に接触していることを特徴とする請求項１に記載のコンデンサマイクロホン。
【請求項３】
上記特性切替スイッチが上記マイクロホンユニットに対する最大許容入力音圧レベルを切り替える音圧レベル切替スイッチであることを特徴とする請求項１または２に記載のコンデンサマイクロホン。
【発明の詳細な説明】
【技術分野】
【０００１】
本発明は、マイクロホンユニットの特性を切り替える特性切替スイッチを有するコンデンサマイクロホンに関し、さらに詳しく言えば、スイッチ操作用の開口部に起因する電磁波雑音を防止する技術に関するものである。
【背景技術】
【０００２】
コンデンサマイクロホンは、振動板と固定極とをスペーサを介して対向的に配置してなり、一種のコンデンサを構成する音響電気変換器を備えているが、この種の音響電気変換器はインピーダンスが高いことから、インピーダンス変換器を介して音声信号を得るようにしている。多くの場合、インピーダンス変換器にはＦＥＴ（電界効果トランジスタ）が用いられている。
【０００３】
また、コンデンサマイクロホンの一部の機種には、最大許容入力音圧レベルを切り替えるための音圧レベル切替スイッチや、風や外来振動などによる雑音を軽減するためのローカットスイッチなどのマイクロホンユニットの特性を切り替える特性切替スイッチが設けられている。
【０００４】
この種の特性切替スイッチを備えているコンデンサマイクロホンの一例を図３ないし図５により説明する。図３（ａ）はコンデンサマイクロホンの正面図，（ｂ）は同図（ａ）のＡ−Ａ線断面図，図４は図３（ａ）のＢ−Ｂ線拡大断面図，図５は音圧レベル切替スイッチを示す等価回路図である。
【０００５】
図３（ａ）（ｂ）に示すように、コンデンサマイクロホンは、基本的な構成として、黄銅合金などの金属材よりなる円筒状のマイクロホンケース１０と、マイクロホンケース１０の一端側に装着されるマイクロホンユニット２０と、マイクロホンケース１０の他端側に装着される出力コネクタ３０とを備えている。
【０００６】
マイクロホンユニット２０内には、音声信号の引出電極２２を有する音響電気変換器２１が収納されている。音響電気変換器２１は、図５に示すように、ダイアフラムリング２１２に張設された振動板２１１と固定極２１３とをスペーサリング２１４を介して対向的に配置した変換器で、上記引出電極２２は固定極２１３から引き出されている。
【０００７】
出力コネクタ３０には、通常、ＥＩＡＪ  ＲＣ−５２３６「音響機器用ラッチロック式丸型コネクタ」に規定されているコネクタが用いられ、この出力コネクタ３０は、接地端子ピン３１，信号のホット側端子ピン３２および信号のコールド側端子ピン３３の３ピンを備えている。
【０００８】
なお、作図の都合上、ホット側端子ピン３２とコールド側端子ピン３３は重なっているため、そのうちの１本しか示されていない。出力コネクタ３０は、図示しないファントム電源と接続される。
【０００９】
マイクロホンケース１０内には回路基板１１が収納されており、回路基板１１にマイクロホンユニット２０と出力コネクタ３０とが接続される。回路基板１１には、インピーダンス変換器としての図５に示すＦＥＴ１２やマイクロホンユニット２０に対する電源回路などが搭載されている。このことから、マイクロホンケース１０はパワーモジュール部と呼ばれることがある。
【００１０】
この場合、回路基板１１には、マイクロホンユニット２０の特性を切り替える特性切替スイッチとして、最大許容入力音圧レベルを切り替えるための音圧レベル切替スイッチ１３と、風や外来振動などによる雑音を軽減するためのローカットスイッチ１４とが搭載されている。
【００１１】
このうちの音圧レベル切替スイッチ１３について説明すると、図５に示すように、マイクロホンユニット２０の固定極２１３（引出電極２２）はＦＥＴ１２のゲートＧに接続されるが、振動板２１１と固定極２１３とで構成されるコンデンサに対して、音圧レベル切替スイッチ１３はコンデンサからなる減衰器１７とともに並列に接続される。
【００１２】
減衰器１７はＰＡＤ（パッド）とも称され、例えば楽器などにマイクロホンを近接させて収音する場合に、音圧レベル切替スイッチ１３をオンにすることにより、減衰器１７が振動板２１１と固定極２１３とで構成されるコンデンサに対して並列に接続されることになる。ローカットスイッチ１４は、図示しないフィルタ回路などを切り替える。
【００１３】
図４に示すように、マイクロホンケース１０には、音圧レベル切替スイッチ１３とローカットスイッチ１４とを操作するための開口部１５，１６が形成されている。この種の特性切替スイッチ１３，１４は頻繁に使用されるものでないことと、マイクロホン使用中での誤操作を防止するうえで、そのスイッチノブ１３ａ，１４ａは、開口部１５，１６から引っ込められた位置に配置され、特性切替を必要とする場合にのみ、図示しないボールペンなどの先端にて操作される。
【００１４】
なお、上記特性切替スイッチ１３，１４には、通常、スライドスイッチやトグルスイッチが用いられるが、指向性切替スイッチの場合、希にロータリースイッチが用いられることがある。
【発明の開示】
【発明が解決しようとする課題】
【００１５】
しかしながら、スイッチの開口部１５，１６はシールドが不完全であるため、外来電磁波などによる高周波電流がマイクロホンケース１０内に入り込みやすく、その高周波電流がＦＥＴ１２によって検波されて雑音が発生することがある。
【００１６】
スライドスイッチのスイッチノブは、通常、合成樹脂で作製されているため、スイッチの開口部１５，１６から入り込んだ電磁波はスイッチを介して音声出力回路に取り込まれやすい。
【００１７】
また、トグルスイッチでは、スイッチノブが金属で作製され、回路基板１１のシールドなどに接続できるものもあるが、その接続に高周波でインピーダンスを持つような配線を行うと、マイクロホン内に高周波電流が取り込まれることになる。
【００１８】
近年、携帯電話機が急速に普及しているが、携帯電話機からはかなり強い電磁波（例えば、数ｃｍ〜数１０ｃｍ程度の範囲内では、商用電波により市中で生じている電界強度の数万倍に達する電界強度）が発生されるため、マイクロホン近傍で携帯電話機が使用された場合の雑音発生が大きな問題となっている。
【００１９】
特に、音圧レベル切替スイッチ１３は、図５に示すように、ＦＥＴ１２のゲートＧに接続されることから、そのスイッチの開口部１５から入り込む電磁波による高周波電流がＦＥＴ１２のゲートＧに流れるとより大きな雑音を発生する。
【００２０】
別の問題として、スイッチの組み立て誤差などによりスイッチノブとスイッチ本体との間にガタツキがあると、マイクロホンを振動させた場合、「カタカタ」という機械的な雑音が発生することがある。
【００２１】
したがって、本発明の課題は、マイクロホンケースにスイッチ操作用の開口部が穿設されているコンデンサマイクロホンにおいて、その開口部のシールドを確実にして外来電磁波に起因する雑音発生を防止し、また、スイッチノブのガタツキによる機械的雑音の発生を防止することにある。
【課題を解決するための手段】
【００２２】
上記課題を解決するため、請求項１に記載の発明は、一端側にマイクロホンユニットが装着され、他端側に出力コネクタを備えている金属材からなる円筒状のマイクロホンケースを含み、上記マイクロホンケース内に上記マイクロホンユニットと上記出力コネクタとに電気的に接続されるとともに、上記マイクロホンユニットの所定の特性を切り替える特性切替スイッチが搭載されている回路基板が収納されており、上記マイクロホンケースの上記特性切替スイッチと対向する部位にスイッチ操作用の開口部が穿設されており、上記開口部を通して上記特性切替スイッチのスイッチノブが操作されるコンデンサマイクロホンにおいて、上記スイッチノブに上記マイクロホンケースの内側から上記開口部を塞ぐ電気的なシールド手段が設けられていることを特徴としている。
【００２３】
請求項２に記載の発明は、上記請求項１のコンデンサマイクロホンにおいて、上記シールド手段として弾性と導電性とを併せ持つ導電布が用いられ、上記導電布の端部が上記マイクロホンケースの内面に接触していることを特徴としている。
【００２４】
請求項３に記載の発明は、上記請求項１または２のコンデンサマイクロホンにおいて、上記特性切替スイッチが上記マイクロホンユニットに対する最大許容入力音圧レベルを切り替える音圧レベル切替スイッチであることを特徴としている。
【発明の効果】
【００２５】
請求項１に記載の発明によれば、スイッチノブにマイクロホンケースの内側からスイッチの開口部を塞ぐ電気的なシールド手段を設けたことにより、外来電磁波のスイッチ開口部を通してのマイクロホンケース内への入り込みが阻止されるため、外来電磁波に起因する雑音発生が防止される。
【００２６】
請求項２に記載の発明によれば、上記シールド手段として弾性と導電性とを併せ持つ導電布を用い、その導電布の端部をマイクロホンケースの内面に接触させることにより、請求項１の効果に加えて、スイッチノブのガタツキによる機械的雑音の発生をも防止することができる。
【００２７】
請求項３に記載の発明によれば、マイクロホンユニットに対する最大許容入力音圧レベルを切り替える音圧レベル切替スイッチに上記請求項１の電気的なシールド手段もしくは上記請求項２の導電布を適用することにより、インピーダンス変換器としてのＦＥＴのゲートへの外来電磁波による高周波電流の直接的な流れ込みが防止されるため、携帯電話機が近傍で使用されたとしても、それによる雑音発生を効果的に抑制することができる。
【発明を実施するための最良の形態】
【００２８】
次に、図１および図２により、本発明の実施形態について説明するが、本発明はこれに限定されるものではない。図１は本発明の要部を示す図４と同様の拡大断面図，図２はスイッチの開口部分を示す模式的な平面図である。なお、コンデンサマイクロホンの全体的な構成については先に説明した従来例の図３（ａ）（ｂ）を、また、音圧レベル切替スイッチについては先に説明した従来例の図５を参照されたい。
【００２９】
図１に示すように、本発明のコンデンサマイクロホンにおいても、例えば黄銅合金などの金属材からなる円筒状のマイクロホンケース１０を備え、マイクロホンケース１０内には回路基板１１が収納されている。
【００３０】
先に説明した従来例の図３（ａ）（ｂ）と同じく、マイクロホンケース１０の一端側（先端側）にはマイクロホンユニット２０が装着されるとともに、マイクロホンケース１０の他端側（後端側）には出力コネクタ３０が装着され、回路基板１１はマイクロホンユニット２０の引出電極２２と出力コネクタ３０とに接続される。
【００３１】
回路基板１１には、インピーダンス変換器としてのＦＥＴ１２（図５参照）とマイクロホンユニット２０に対する電源回路などを含む音声出力回路が設けられており、また、この例においても、回路基板１１には、マイクロホンユニット２０の特性を切り替える特性切替スイッチとして、最大許容入力音圧レベルを切り替えるための音圧レベル切替スイッチ１３と、風や外来振動などによる雑音を軽減するためのローカットスイッチ１４とが搭載されている。音圧レベル切替スイッチ１３については図５を参照されたい。
【００３２】
マイクロホンケース１０には、音圧レベル切替スイッチ１３とローカットスイッチ１４とを操作するための開口部１５，１６が形成されている。先に説明した従来例と同様、この種の特性切替スイッチ１３，１４は頻繁に使用されるものでないことと、マイクロホン使用中での誤操作を防止するうえで、そのスイッチノブ１３ａ，１４ａは、開口部１５，１６から引っ込められた位置に配置され、特性切替を必要とする場合にのみ、図示しないボールペンなどの先端にて操作される。
【００３３】
この例において、音圧レベル切替スイッチ１３とローカットスイッチ１４は、ともにスライドスイッチであるため、それらの開口部１５，１６は、スイッチノブ１３ａ，１４ａの移動ストロークに見合った長さを有する長孔状に形成されている。
【００３４】
本発明では、スイッチの開口部１５，１６をマイクロホンケース１０の内側から塞ぐ電気的なシールド手段を備えている。
【００３５】
このシールド手段はスイッチノブ１３ａ，１４ａに取り付けられ、所定の配線を介して回路基板１１のグランドもしくはマイクロホンケース１０に接続される金属板であってもよいが、弾性と導電性とを併せ持つ導電布であることが好ましい。
【００３６】
この種の導電布としては、柔軟なスポンジを基材として、その表面に強化アルミニウムフォイルを被覆してなる太陽金網社製の商品名「ソフト・シールド４０００シリーズ」を例示することができる。
【００３７】
図１には、各スイッチノブ１３ａ，１４ａに導電布１７を取り付けた状態が示されているが、この例において、各スイッチ１３，１４はスライドスイッチであるため、図２の鎖線で示すように、導電布１７を各スイッチノブ１３ａ，１４ａをオン位置とオフ位置にしたいずれの場合でも、スイッチの開口部１５，１６を塞ぎ得るような帯状片に裁断し、そのほぼ中央部分に孔を開けて、各スイッチノブ１３ａ，１４ａに取り付けるとよい。
【００３８】
また、導電布１７の幅は、図１に示すように、その片側端部がシールドケースとしても機能するマイクロホンケース１０の内面に弾性的に接触し得る幅とする。
【００３９】
このように、スイッチの開口部１５，１６を各スイッチノブ１３ａ，１４ａに取り付けられた導電布１７にて塞ぐことにより、仮にマイクロホン近傍で強い電磁波を発生する携帯電話機が使用されたとしても、その電磁波は導電布１７からマイクロホンケース１０の表面を流れて、出力コネクタ３０に接続される図示しないマイクコードなどの接地線に落とされ、マイクロホンケース１０内には入り込まないため、電磁波による雑音発生を効果的に防止することができる。
【００４０】
音圧レベル切替スイッチ１３は、先の図５に示したように、ＦＥＴ１２のゲートＧに接続されているため、音圧レベル切替スイッチ１３に導電布１７を取り付けることにより、より大きな効果が得られる。
【００４１】
また、導電布１７が各スイッチノブ１３ａ，１４ａとマイクロホンケース１０の内面との間で弾力性をもって配置されるため、スイッチノブ１３ａ，１４ａのガタツキをも防止することができる。なお、各スイッチ１３，１４がトグルスイッチである場合には、導電布１７は、そのスイッチ開口部より若干大きな帯状片であってよい。
【図面の簡単な説明】
【００４２】
【図１】本発明の要部を示す図４と同様の拡大断面図。
【図２】本発明の実施形態でスイッチの開口部分を示す模式的な平面図。
【図３】（ａ）従来のコンデンサマイクロホンを示す正面図，（ｂ）そのＡ−Ａ線断面図。
【図４】図３（ａ）のＢ−Ｂ線拡大断面図。
【図５】音圧レベル切替スイッチを示す等価回路図
【符号の説明】
【００４３】
１０  マイクロホンケース
１１  回路基板
１２  ＦＥＴ（インピーダンス変換器）
１３  音圧レベル切替スイッチ
１４  ローカットスイッチ
１３ａ，１４ａ  スイッチノブ
１５，１６  開口部
１７  導電布
２０  マイクロホンユニット
２１  音響電気変換器
３０  出力コネクタ
【図１】
2008103818.tif 000003
【図２】
2008103818.tif 000004
【図３】
2008103818.tif 000005
【図４】
2008103818.tif 000006
【図５】
2008103818.tif 000007